(57)【特許請求の範囲】
【請求項１】
略箱状のケース体の一面を略閉塞する状態で設けられるパネル部に対してドア部を開閉自在に軸支する開閉軸支装置であって、
前記パネル部は、前記ドア部によって覆われる第１面と、この第１面と面方向が交差しかつ連続する状態で設けられた第２面と、を有し、
前記パネル部の前記第１面から前記第２面にわたって開口する開口部と、
前記パネル部および前記ドア部のうち一方に設けられた軸部、および、他方に設けられ前記開口部を介して前記軸部を受ける軸受部を有する複数の軸支部と、
前記パネル部に設けられたオイルギアと、
前記ドア部に設けられ前記開口部を介して前記オイルギアに噛合するギアと、を具備し、
前記軸支部は、前記ドア部が開かれた際に前記第１面と略同一面上に位置する形状に形成された閉塞面部を有するとともに、前記ドア部が開かれた状態で前記軸部と前記軸受部とが前記第１面に平行な方向から着脱可能に設けられ、
前記複数の軸支部のうち１個の軸支部の前記軸部は、前記ギアに設けられ、当該ギアに設けられた軸部を受ける前記軸受部は、前記パネル部に設けられた
ことを特徴とする開閉軸支装置。
【請求項２】
請求項１に記載の開閉軸支装置において、
前記パネル部の前記第１面および前記第２面は、それぞれ正面および下面、または、上面および背面である
ことを特徴とする開閉軸支装置。
【請求項３】
請求項１または請求項２に記載の開閉軸支装置において、
前記軸部は、前記パネル部に設けられ、
前記軸受部は、前記ドア部に設けられた
ことを特徴とする開閉軸支装置。
【請求項４】
請求項３に記載の開閉軸支装置において、
前記軸受部は、前記ドア部が閉じられた際に前記開口部の開口縁に対向する位置において凹む状態で設けられた凹部を備え、
前記開口部は、その開口縁において前記凹部に入り込む状態で延出する延出部を備えた
ことを特徴とする開閉軸支装置。
【請求項５】
略箱状に形成されたケース体と、
このケース体内に収容された電子機器と、
第１面およびこの第１面と面方向が交差しかつ連続する状態で設けられた第２面を有するパネル部と、
このパネル部の前記第１面を開閉自在に設けられたドア部と、
前記パネル部に対して前記ドア部を開閉自在に軸支する請求項１ないし請求項４のいずれかに記載の開閉軸支装置と、
を具備したことを特徴とする電気機器。
【発明の詳細な説明】
【技術分野】
【０００１】
本発明は、ケース体の一面を略閉塞する状態で設けられるパネル部に対してドア部を開閉自在に軸支する開閉軸支装置、および、この開閉軸支装置を備えた電気機器に関する。
【背景技術】
【０００２】
従来、ビデオテープレコーダなどの電気機器のフロントパネル部をドア部で開閉する構成が知られている（例えば、特許文献１参照）。
この特許文献１に記載のものは、ドアスイッチユニットのフック部にフロントパネルの支軸が係合することで、ドアスイッチユニットがフロントパネルに対して回動する構成が採られている。また、ドアスイッチユニットをゆっくりと開動作させるために、ドアスイッチユニットをオイルダンパ機構に連動させている。
【０００３】
この特許文献１に記載の構成のように、オイルダンパ機構を有するとともに、ドアスイッチユニットが開かれた状態でフック部と支軸とがフロントパネルの面と直交する方向から着脱可能に設けられる構成では、オイルダンパ機構とドアスイッチユニットとの連動部分は、例えば図１および図２に示すように構成することが考えられる。
【０００４】
すなわち、ドアスイッチユニットに対応するドア部９００をフロントパネル部９１０に対して開閉自在に軸支する構成として、開口部９２１と、オイルダンパ機構に対応するドアギア部９２２と、を設ける。
開口部９２１は、パネル正面部９１１の下縁近傍において開口する状態で設けられている。
ドアギア部９２２は、ドア部９００に設けられたドアギア軸受部９２２Ａと、このドアギア軸受部９２２Ａに設けられたギア９２２Ｂと、パネル正面部９１１に設けられ開口部９２１を介してドアギア軸受部９２２Ａに受けられるドアギア軸部９２２Ｃと、パネル正面部９１１に設けられギア９２２Ｂに噛合するオイルギア９２２Ｄと、を備えている。
【０００５】
ドアギア軸受部９２２Ａは、ドア部９００の下部から背面側に向けて略Ｕ字板状に延出するとともに、ドア部９００の下側に向けて開口する形状に形成されている。つまり、ドアギア部９２２は、ドア部９００が開かれた状態で、ドアギア軸受部９２２Ａとドアギア軸部９２２Ｃとがパネル正面部９１１の面と略直交する正面側から着脱可能な構成を有している。
ギア９２２Ｂは、ドアギア軸受部９２２Ａにおける延出方向の先端側の上側から下側にかけて、中心角が９０°以上の円弧状に並設された複数のギア歯９２２Ｂ１を備えている。
オイルギア９２２Ｄは、円状に並設された複数のオイルギア歯９２２Ｄ１がギア歯９２２Ｂ１と噛合する状態で、パネル正面部９１１の背面側に固定されている。このオイルギア９２２Ｄと、ギア９２２Ｂの噛合により、ドア部９００は、図２に示す閉じた状態から図１に示す開いた状態に移行する際に、回転抵抗に応じた遅い回動速度で回動するようになっている。
【０００６】
【特許文献１】特開平５−２１７３５０号公報
【発明の開示】
【発明が解決しようとする課題】
【０００７】
しかしながら、上述したような従来の構成では、ドアギア軸受部９２２Ａとドアギア軸部９２２Ｃとを正面側から着脱する際に、円弧状に並設されたギア歯９２２Ｂ１のうちドア部９００から最も離れた位置にあるギア歯９２２Ｂ１（以下、離間ギア歯９２２Ｂ１と称す）を開口部９２１の上縁近傍を通過させる状態で、ドアギア軸受部９２２Ａが開口部９２１内に挿入されるため、開口部９２１の上縁の位置を離間ギア歯９２２Ｂ１の先端よりも上側にする必要がある。このため、ドアギア軸受部９２２Ａとドアギア軸部９２２Ｃとが係合された際に、開口部９２１の上縁に対向する位置に、離間ギア歯９２２Ｂ１よりもドア部９００に近い位置にあるギア歯９２２Ｂ１が存在することとなり、このギア歯９２２Ｂ１の先端と開口部９２１の上縁との隙間から離間ギア歯９２２Ｂ１が露出してしまい、デザイン性が低くなるおそれがあるという問題点が一例として挙げられる。
【０００８】
本発明は、このような点などに鑑み、デザイン性を向上可能な開閉軸支装置、および、この開閉軸支装置を備えた電気機器を提供することを一つの目的とする。
【課題を解決するための手段】
【０００９】
請求項１に記載の発明は、略箱状のケース体の一面を略閉塞する状態で設けられるパネル部に対してドア部を開閉自在に軸支する開閉軸支装置であって、前記パネル部は、前記ドア部によって覆われる第１面と、この第１面と面方向が交差しかつ連続する状態で設けられた第２面と、を有し、前記パネル部の前記第１面から前記第２面にわたって開口する開口部と、前記パネル部および前記ドア部のうち一方に設けられた軸部、および、他方に設けられ前記開口部を介して前記軸部を受ける軸受部を有する複数の軸支部と、前記パネル部に設けられたオイルギアと、前記ドア部に設けられ前記開口部を介して前記オイルギアに噛合するギアと、を具備し、前記軸支部は、前記ドア部が開かれた際に前記第１面と略同一面上に位置する形状に形成された閉塞面部を有するとともに、前記ドア部が開かれた状態で前記軸部と前記軸受部とが前記第１面に平行な方向から着脱可能に設けられ、前記複数の軸支部のうち１個の軸支部の前記軸部は、前記ギアに設けられ、当該ギアに設けられた軸部を受ける前記軸受部は、前記パネル部に設けられたことを特徴とする開閉軸支装置である。
【００１０】
請求項５に記載の発明は、略箱状に形成されたケース体と、このケース体内に収容された電子機器と、第１面およびこの第１面と面方向が交差しかつ連続する状態で設けられた第２面を有するパネル部と、このパネル部の前記第１面を開閉自在に設けられたドア部と、前記パネル部に対して前記ドア部を開閉自在に軸支する請求項１ないし請求項４のいずれかに記載の開閉軸支装置と、を具備したことを特徴とする電気機器である。
【発明を実施するための最良の形態】
【００１１】
以下、本発明の一実施形態を図面に基づいて説明する。
図３は、本発明の一実施形態に係る記録再生装置の斜視図である。図４は、ドア部が開いた状態におけるドアヒンジ部を示す断面図である。図５は、ドア部が閉じた状態におけるドアヒンジ部を示す断面図である。図６は、ドア部が開いた状態におけるドアギア部を示す断面図である。図７は、ドア部が閉じた状態におけるドアギア部を示す断面図である。
【００１２】
［記録再生装置の構成］
図３において、１００は電気機器としての例えば記録再生装置で、この記録再生装置１００はＴＶ映像データや撮像データなどの画像データや音声データなどを再生、さらには再生可能に記録するものである。
この記録再生装置１００は、正面が開口されたケース体１１０と、このケース体１１０内に収納される電子機器１２０と、ケース体１１０の正面を略閉塞する状態で設けられるパネル部としてのフロントパネル部１３０と、このフロントパネル部１３０を開閉自在に設けられたドア部１４０と、このドア部１４０をフロントパネル部１３０に対して開閉自在に軸支する開閉軸支装置１５０と、を備えている。
【００１３】
フロントパネル部１３０の左上部および右上部には、ドア固定磁石１３０Ａが設けられている。また、フロントパネル部１３０には、スイッチや端子、コネクタ、ディスクトレイなどが臨む窓部１３０Ｂが設けられている。そして、フロントパネル部１３０は、図４〜図７に示すように、ケース体１１０の上面１１１と略同一面となる状態で設けられるパネル上面部１３１と、このパネル上面部１３１に一連に設けられケース体１１０の正面を略閉塞するパネル正面部１３２と、このパネル正面部１３２と一連に設けられケース体１１０の下面１１２と略同一面となる状態で設けられるパネル下面部１３３と、を備えている。これらパネル上面部１３１、パネル正面部１３２、パネル下面部１３３は、例えばＡＢＳ樹脂で一体的に形成されている。
パネル正面部１３２は、図４〜図７に示すように、略板状の第１面としての正面であるパネル上側正面部１３２Ａと、このパネル上側正面部１３２Ａの下縁に一連に設けられ背面側（ケース体１１０の内部側）に向けて延出する第２面としての下面であるパネル中間下面部１３２Ｂと、このパネル中間下面部１３２Ｂの先端縁に一連に設けられパネル上側正面部１３２Ａと略平行なパネル下側正面部１３２Ｃと、を備えている。
【００１４】
ドア部１４０は、例えばアクリル樹脂によりパネル上側正面部１３２Ａを覆うことが可能な長方形板状に形成されている。また、ドア部１４０の背面側の左上部および右上部には、ドア固定磁石１３０Ａに吸引されるドア固定鉄１４０Ａが設けられている。
【００１５】
開閉軸支装置１５０は、図３に示すように、フロントパネル部１３０において左右方向に並設された４個の開口部１５１と、左から１番目、３番目、４番目の開口部１５１に対応する位置にそれぞれ設けられた軸支部としての３個のドアヒンジ部１５２と、左から２番目の開口部１５１に対応する位置に設けられた軸支部としての１個のドアギア部１５３と、を備えている。
【００１６】
開口部１５１は、図４〜図７に示すように、パネル上側正面部１３２Ａおよびパネル中間下面部１３２Ｂの２面にわたって開口する状態で設けられている。この開口部１５１におけるパネル上側正面部１３２Ａ側の開口縁には、パネル中間下面部１３２Ｂに向けて延出する延出部１５１Ａが設けられている。この延出部１５１Ａは、延出方向の先端側に向かうにしたがって厚さ寸法が小さくなり、先端が尖った形状に形成されている。
【００１７】
ドアヒンジ部１５２は、図４および図５に示すように、パネル上側正面部１３２Ａに設けられたドアヒンジ軸部１５２Ａと、ドア部１４０に設けられ開口部１５１を介してドアヒンジ軸部１５２Ａを受けるドアヒンジ軸受部１５２Ｂと、を備えている。
【００１８】
ドアヒンジ軸部１５２Ａは、パネル上側正面部１３２Ａの背面側の下部において開口部１５１から臨む状態で、かつ、軸方向が左右方向と一致する状態で設けられている。このドアヒンジ軸部１５２Ａは、対向する一対の平側面部と、対向する一対の円弧側面部とにより略丸棒状に形成されている。
【００１９】
ドアヒンジ軸受部１５２Ｂは、略Ｕ字板状に形成され、ドア部１４０の下部に設けられている。このドアヒンジ軸受部１５２Ｂは、ドア部１４０の背面側に向けて開口する状態で設けられている。つまり、ドアヒンジ部１５２は、図４に示すように、ドア部１４０が開かれた状態で、ドアヒンジ軸部１５２Ａとドアヒンジ軸受部１５２Ｂとがパネル上側正面部１３２Ａの面と平行な下側から着脱可能な構成を有している。
また、ドアヒンジ軸受部１５２Ｂにおけるドア部１４０との接続部分には、延出部１５１Ａに対応して凹む形状に形成された凹部１５２Ｂ１が設けられている。つまり、凹部１５２Ｂ１は、図５に示すように、ドア部１４０でフロントパネル部１３０を覆った際に、延出部１５１Ａに入り込む形状に形成されている。
さらに、ドアヒンジ軸受部１５２Ｂには、凹部１５２Ｂ１と連続する状態で閉塞面部１５２Ｂ２が設けられている。この閉塞面部１５２Ｂ２は、図４に示すように、ドア部１４０でフロントパネル部１３０が開かれた際に、パネル上側正面部１３２Ａの面と略同一面上に位置する形状に形成されている。
【００２０】
ドアギア部１５３は、図６および図７に示すように、ドア部１４０に設けられたギア１５３Ａと、このギア１５３Ａに設けられたドアギア軸部１５３Ｂと、パネル上側正面部１３２Ａに設けられ開口部１５１を介してドアギア軸部１５３Ｂを受けるドアギア軸受部１５３Ｃと、パネル上側正面部１３２Ａに設けられギア１５３Ａに噛合するオイルギア１５３Ｄと、を備えている。
【００２１】
ギア１５３Ａは、ドア部１４０の下部から背面側に向けて略四角板状に延出するギア基部１５３Ａ１と、このギア基部１５３Ａ１における延出方向の先端側からドア部１４０の下部側の側面側にかけて、中心角が９０°以上の円弧状に並設された複数のギア歯１５３Ａ２と、を備えている。
また、ギア基部１５３Ａ１におけるドア部１４０との接続部分には、ドアヒンジ部１５２の凹部１５２Ｂ１と略等しい形状に形成され、図７に示すように、ドア部１４０でフロントパネル部１３０を覆った際に、延出部１５１Ａに入り込む凹部１５３Ａ１１が設けられている。
さらに、ギア基部１５３Ａ１には、ドアヒンジ部１５２の閉塞面部１５２Ｂ２と略等しい形状に形成され、図６に示すように、ドア部１４０でフロントパネル部１３０が開かれた際に、パネル上側正面部１３２Ａの面と略同一面上に位置する閉塞面部１５３Ａ１２が設けられている。
【００２２】
ドアギア軸部１５３Ｂは、ギア基部１５３Ａ１の一面における略中央から突出する状態で設けられている。このドアギア軸部１５３Ｂは、対向する一対の平側面部と、対向する一対の円弧側面部とにより略丸棒状に形成されている。
【００２３】
ドアギア軸受部１５３Ｃは、略Ｕ字板状に形成され、パネル上側正面部１３２Ａの背面側の下部に固定されている。また、ドアギア軸受部１５３Ｃは、開口部１５１から臨む状態で、かつ、パネル上側正面部１３２Ａの下側に向けて開口する状態で設けられている。つまり、ドアギア部１５３は、図６に示すように、ドア部１４０が開かれた状態で、ドアギア軸部１５３Ｂとドアギア軸受部１５３Ｃとがパネル上側正面部１３２Ａの面と平行な下側から着脱可能な構成を有している。
【００２４】
オイルギア１５３Ｄは、円状に並設された複数のオイルギア歯１５３Ｄ１がギア１５３Ａのギア歯１５３Ａ２と噛合する状態で、パネル上側正面部１３２Ａの背面側の下部に固定されている。このオイルギア１５３Ｄは、油の粘性による所定の回転抵抗を有している。このオイルギア１５３Ｄと、ギア１５３Ａの噛合により、ドア部１４０は、図７に示す閉じた状態から図６に示す開いた状態に移行する際に、回転抵抗に応じた遅い回動速度で回動するようになっている。
【００２５】
［記録再生装置の作用］
次に、上述した記録再生装置１００の作用として、ドアギア軸部１５３Ｂをギア１５３Ａに設け、ドアギア軸受部１５３Ｃをパネル上側正面部１３２Ａに設けたことによる作用について、図面を参照して説明する。
図８は、ドア部が開いた状態における比較例１のドアギア部を示す断面図である。図９は、ドア部が閉じた状態における比較例１のドアギア部を示す断面図である。図１０は、ドア部が開いた状態における比較例２のドアギア部を示す断面図である。図１１は、ドア部が閉じた状態における比較例２のドアギア部を示す断面図である。
なお、上記実施形態と同一の構成については、同一符号を付し、説明を適宜省略する。
【００２６】
〔比較例１の構成〕
比較例１のドアギア部２００は、図８および図９に示すように、ドア部１４０に設けられたドアギア軸受部２００Ａと、図示しないパネル上側正面部に設けられドアギア軸受部２００Ａで受けられる図示しないドアギア軸部と、ドアギア軸受部２００Ａに設けられたギア２００Ｃと、パネル上側正面部に設けられたオイルギア１５３Ｄと、を備えている。
ドアギア軸受部２００Ａは、ドア部１４０の背面側に向けて略Ｕ字板状に延出するとともに、ドア部１４０の下側に向けて開口する形状に形成されている。つまり、ドアギア部２００は、ドア部１４０が開かれた状態で、ドアギア軸受部２００Ａとドアギア軸部とが正面側から着脱可能な構成を有している。また、ギア２００Ｃのギア歯２００Ｃ１は、ドアギア軸受部２００Ａの先端側からドア部１４０の下部側の側面側にかけて、上記実施形態よりも中心角が小さい円弧状に並設され、その数もギア歯１５３Ａ２よりも少なくなっている。これは、ドアギア軸受部２００Ａがドア部１４０の下側に向けて開口しているため、想像線（２点鎖線）で示すようなギア歯２００Ｃ９を設けられないためである。
【００２７】
〔比較例２の構成〕
比較例２のドアギア部２１０は、図１０および図１１に示すように、ドアギア軸受部２１０Ａおよびギア２１０Ｃのみが比較例１のドアギア部２００と異なる構成を有している。
ドアギア軸受部２１０Ａは、ドア部１４０の背面側に向けて略Ｕ字板状に延出するとともに、ドア部１４０の背面側に向けて開口する形状に形成され、ドアギア部２１０は、ドア部１４０が開かれた状態で、ドアギア軸受部２１０Ａとドアギア軸部とが下側から着脱可能な構成を有している。また、ギア２１０Ｃのギア歯２１０Ｃ１は、ドアギア軸受部２１０Ａの先端側からドア部１４０の下部側の側面側にかけて、上記実施形態よりも中心角が小さい円弧状に断続的に並設され、その数もギア歯１５３Ａ２よりも少なくなっている。これは、ドアギア軸受部２１０Ａがドア部１４０の背面側に向けて開口しているため、想像線（２点鎖線）で示すようなギア歯２１０Ｃ９を設けられないためである。
【００２８】
〔比較例１，２と、記録再生装置との比較〕
比較例１では、上述したようにギア歯２００Ｃ９を設けることができないので、図９に示すようなドア部１４０が閉じた状態では、ギア歯２００Ｃ１がオイルギア歯１５３Ｄ１に十分に噛合するが、図８に示すようなドア部１４０が開いた状態では、ギア歯２００Ｃ１がオイルギア歯１５３Ｄ１に十分に噛合しない。また、比較例２では、ギア歯２１０Ｃ９を設けることができないので、図１０に示すようなドア部１４０が開いた状態では、ギア歯２１０Ｃ１がオイルギア歯１５３Ｄ１に十分に噛合するが、図１１に示すようなドア部１４０が閉じた状態では、ギア歯２１０Ｃ１がオイルギア歯１５３Ｄ１に十分に噛合しない。
したがって、比較例１，２の構成では、ギア歯２００Ｃ１，２１０Ｃ１とオイルギア歯１５３Ｄ１との噛合が十分でない状態のときがあり、ドア部１４０の滑らかに回動しないおそれがある。
これに対して、上記実施形態では、ギア１５３Ａにドアギア軸部１５３Ｂを設けているため、比較例１，２のように、ギア歯１５３Ａ２の配置制限を受けることがない。したがって、十分な数のギア歯１５３Ａ２を設けることができ、図６に示すようなドア部１４０が開いた状態、および、図７に示すようなドア部１４０が閉じた状態の両方において、ギア歯１５３Ａ２がオイルギア歯１５３Ｄ１に十分に噛合する。
したがって、上記実施形態の構成では、ドア部１４０の開閉時のすべての状態において両者の噛合を十分にすることができ、ドア部１４０を滑らかに回動させることができる。
【００２９】
［記録再生装置の作用効果］
上述したように、上記実施形態では、以下のような作用効果を奏することができる。
【００３０】
（１）フロントパネル部１３０に対してドア部１４０を開閉自在に軸支する開閉軸支装置１５０を、パネル上側正面部１３２Ａおよびパネル中間下面部１３２Ｂの２面にわたって開口する開口部１５１と、ドアヒンジ軸部１５２Ａおよびドアヒンジ軸受部１５２Ｂを有するドアヒンジ部１５２と、ドアギア軸部１５３Ｂおよびドアギア軸受部１５３Ｃを有するドアギア部１５３と、オイルギア１５３Ｄと、ギア１５３Ａと、で構成している。また、ドアヒンジ部１５２およびドアギア部１５３に、ドア部１４０が開かれた際にパネル上側正面部１３２Ａの面と略同一面上に位置する閉塞面部１５２Ｂ２，１５３Ａ１２を設けている。そして、ドアヒンジ軸部１５２Ａとドアヒンジ軸受部１５２Ｂ、ドアギア軸部１５３Ｂとドアギア軸受部１５３Ｃを、ドア部１４０が開かれた状態で、パネル上側正面部１３２Ａの面と平行な下側から着脱可能に設けている。
このため、円弧状に並設されたギア歯１５３Ａ２のうちドア部１４０から最も離れた位置にあるギア歯１５３Ａ２（以下、離間ギア歯１５３Ａ２と称す）を開口部１５１の上縁近傍を通過させない状態で、ギア１５３Ａを開口部１５１内に挿入することができる。
したがって、開口部１５１の上縁の位置を離間ギア歯１５３Ａ２の先端の位置よりも下側にすることにより、開口部１５１の上縁と、ギア１５３Ａとの隙間を小さくすることができ、この隙間から離間ギア歯１５３Ａ２が露出するのを防ぐことができる。さらに、ドア部１４０が開かれた際に、パネル上側正面部１３２Ａと略同一面上に位置する閉塞面部１５２Ｂ２，１５３Ａ１２を設けているので、この部分にギア歯１５３Ａ２を設ける構成のように、ギア歯１５３Ａ２が露出することがない。よって、記録再生装置１００のデザイン性を向上できる。
【００３１】
（２）開口部１５１をパネル上側正面部１３２Ａおよびパネル中間下面部１３２Ｂにわたって設け、ドア部１４０でパネル上側正面部１３２Ａを開閉する構成としている。
このため、操作時などに利用者の目につきやすいパネル上側正面部１３２Ａ側から、離間ギア歯１５３Ａ２が露出するのを防ぐことができる。したがって、離間ギア歯１５３Ａ２が露出することによる違和感を覚えさせることなく、記録再生装置１００の操作をさせることができる。
【００３２】
（３）ドアヒンジ軸部１５２Ａをフロントパネル部１３０に設け、ドアヒンジ軸受部１５２Ｂをドア部１４０に設けている。
ここで、略Ｕ字状のドアヒンジ軸受部１５２Ｂをフロントパネル部１３０に設ける場合、形状が複雑になるため一体成形することが困難になり、これらを別部材として成形してねじ止めなどで固定する必要がある。このため、部品点数が増えるとともに、組立の作業性が落ちてしまうおそれがある。
これに対して、上記実施形態では、ドアヒンジ軸受部１５２Ｂをドア部１４０に設けているので、形状が複雑になることがなく一体成形することができる。したがって、部品点数の増加を防ぐことができるとともに、組立の効率を上げることができる。
【００３３】
（４）ドアヒンジ軸受部１５２Ｂおよびギア１５３Ａに凹部１５２Ｂ１，１５３Ａ１１を設けるとともに、開口部１５１にこの凹部１５２Ｂ１，１５３Ａ１１に入り込む延出部１５１Ａを設けている。
ここで、凹部１５２Ｂ１を設けずに、ドアヒンジ軸受部１５２Ｂにおけるドア部１４０との接続部分まで閉塞面部１５２Ｂ２を設ける構成の場合、ドア部１４０が閉じてこの接続部分が開口部１５１と対向する位置まで移動するため、開口部１５１の上縁の位置を上記実施形態の位置よりも上側にする必要がある。
これに対して、上記実施形態では、凹部１５２Ｂ１，１５３Ａ１１を設けているので、延出部１５１Ａを設けて開口部１５１の上縁の位置を低くしても、ドア部１４０が閉じたときにドアヒンジ軸受部１５２Ｂおよびギア１５３Ａと、延出部１５１Ａと、が接触することがない。したがって、延出部１５１Ａを設けることにより、ドア部１４０が開いたときにおける開口部１５１と、閉塞面部１５２Ｂ２，１５３Ａ１２との隙間を小さくすることができ、記録再生装置１００のデザイン性をさらに向上できる。
【００３４】
（５）ドアギア軸部１５３Ｂをギア１５３Ａに設けるとともに、ドアギア軸受部１５３Ｃをパネル上側正面部１３２Ａに設けている。
ここで、ドアギア軸部１５３Ｂおよびドアギア軸受部１５３Ｃを設けない構成の場合、ドア部１４０を開くためにドアギア部１５３近傍が操作されたときに、オイルギア１５３Ｄからギア１５３Ａを離す方向にドア部１４０が撓んでしまうおそれがある。このような撓みが生じると、オイルギア１５３Ｄとギア１５３Ａとの噛合が解除されて、ドア部１４０が自重による速い回動速度で回動してしまうおそれがある。また、比較例１，２のように、ドアギア軸部をパネル上側正面部に設け、ドアギア軸受部２００Ａ，２１０Ａにギア２００Ｃを設ける構成の場合、円弧方向に十分な数のギア歯２００Ｃ１，２１０Ｃ１を並設させることができず、ドア部１４０が滑らかに回動しないおそれがある。
これに対して、上記実施形態では、ドアギア部１５３にドアギア軸部１５３Ｂおよびドアギア軸受部１５３Ｃを設けているので、ドアギア部１５３近傍が操作されたときに、ドアギア軸部１５３Ｂとドアギア軸受部１５３Ｃとの係合により、ドア部１４０が撓むことを防止できる。したがって、ドア部１４０をオイルギア１５３Ｄによる遅い回動速度で確実に回動させることができる。また、弾性変形しやすい薄い素材でドア部１４０を形成しても、ドア部１４０を確実に遅い回動速度で回動させることができる。さらに、円弧方向に十分な数のギア歯１５３Ａ２を並設させることができ、ドア部１４０を滑らかに回動させることができる。
【００３５】
［実施形態の変形］
なお、本発明は、上述した一実施形態に限定されるものではなく、本発明の目的を達成できる範囲で以下に示される変形をも含むものである。
【００３６】
すなわち、本発明の開閉軸支装置をスイッチや端子などが上面から臨む状態で設けられている電気機器に適用する場合、開口部を第１面としての上面および第２面としての背面の２面にわたって設ける構成としてもよい。このような構成にすれば、操作時などに利用者の目につきやすい上面側からギアが露出するのを防ぐことができる。
【００３７】
そして、ドアヒンジ軸受部１５２Ｂを１つの部品として成形して、このドアヒンジ軸受部１５２Ｂをフロントパネル部１３０にねじ止めなどで固定するとともに、ドアヒンジ軸部１５２Ａをドア部１４０に一体成形してもよい。
また、凹部１５２Ｂ１，１５３Ａ１１および延出部１５１Ａを設けない構成とすれば、ドアヒンジ軸受部１５２Ｂやギア１５３Ａの形状をシンプルにでき、金型形状もシンプルにすることができるので、コストダウンを容易に図ることができる。
さらに、ドアギア軸部１５３Ｂおよびドアギア軸受部１５３Ｃを設けない構成とすれば、部品点数を削減でき、構造をシンプルにでき、コストダウンを容易に図ることができる。
【００３８】
また、本発明の開閉軸支装置を、電気機器としてのＰＤＰ（プラズマディスプレイパネル）や有機ＥＬなどの表示装置、カーナビゲーション装置、パーソナルコンピュータ、携帯電話、家庭用電話などに適用してもよい。
【００３９】
その他、本発明の実施の際の具体的な構造および手順は、本発明の目的を達成できる範囲で他の構造などに適宜変更できる。
【００４０】
［実施形態の効果］
上述したように、上記実施形態では、フロントパネル部１３０に対してドア部１４０を開閉自在に軸支する開閉軸支装置１５０を、開口部１５１と、ドアヒンジ部１５２と、ドアギア部１５３と、オイルギア１５３Ｄと、ギア１５３Ａと、で構成している。また、ドアヒンジ部１５２およびドアギア部１５３に、ドア部１４０が開かれた際にパネル上側正面部１３２Ａの面と略同一面上に位置する閉塞面部１５２Ｂ２，１５３Ａ１２を設けている。そして、ドアヒンジ部１５２のドアヒンジ軸部１５２Ａとドアヒンジ軸受部１５２Ｂ、ドアギア部１５３のドアギア軸部１５３Ｂとドアギア軸受部１５３Ｃを、ドア部１４０が開かれた状態で、パネル上側正面部１３２Ａの面と平行な下側から着脱可能に設けている。
このため、円弧状に並設されたギア歯１５３Ａ２のうちドア部１４０から最も離れた位置にある離間ギア歯１５３Ａ２を開口部１５１の上縁近傍を通過させない状態で、ギア１５３Ａを開口部１５１内に挿入することができる。
したがって、開口部１５１の上縁の位置を離間ギア歯１５３Ａ２の先端の位置よりも下側にすることにより、開口部１５１の上縁と、ギア１５３Ａとの隙間を小さくすることができ、この隙間から離間ギア歯１５３Ａ２が露出するのを防ぐことができる。さらに、ドア部１４０が開かれた際に、パネル上側正面部１３２Ａと略同一面上に位置する閉塞面部１５２Ｂ２，１５３Ａ１２を設けているので、この部分にギア歯１５３Ａ２を設ける構成のように、ギア歯１５３Ａ２が露出することがない。よって、記録再生装置１００のデザイン性を向上できる。
【図面の簡単な説明】
【００４１】
【図１】従来のドア部が開いた状態におけるドアギア部を示す断面図である。
【図２】前記従来のドア部が閉じた状態におけるドアギア部を示す断面図である。
【図３】本発明の一実施形態に係る記録再生装置の斜視図である。
【図４】前記一実施形態におけるドア部が開いた状態におけるドアヒンジ部を示す断面図である。
【図５】前記一実施形態におけるドア部が閉じた状態におけるドアヒンジ部を示す断面図である。
【図６】前記一実施形態におけるドア部が開いた状態におけるドアギア部を示す断面図である。
【図７】前記一実施形態におけるドア部が閉じた状態におけるドアギア部を示す断面図である。
【図８】ドア部が開いた状態における比較例１のドアギア部を示す断面図である。
【図９】ドア部が閉じた状態における比較例１のドアギア部を示す断面図である。
【図１０】ドア部が開いた状態における比較例２のドアギア部を示す断面図である。
【図１１】ドア部が閉じた状態における比較例２のドアギア部を示す断面図である。
【符号の説明】
【００４２】
１００…電気機器としての記録再生装置
１１０…ケース体
１２０…電子機器
１３０…パネル部としてのフロントパネル部
１４０…ドア部
１５０…開閉軸支装置
１３２Ａ…第１面としての正面であるパネル上側正面部
１３２Ｂ…第２面としての下面であるパネル中間下面部
１５１…開口部
１５１Ａ…延出部
１５２…軸支部としてのドアヒンジ部
１５２Ａ…ドアヒンジ軸部
１５２Ｂ…ドアヒンジ軸受部
１５２Ｂ１，１５３Ａ１１…凹部
１５２Ｂ２，１５３Ａ１２…閉塞面部
１５３…軸支部としてのドアギア部
１５３Ａ…ギア
１５３Ｂ…ドアギア軸部
１５３Ｃ…ドアギア軸受部
１５３Ｄ…オイルギア
【図１】
0004999628.tif 000002
【図２】
0004999628.tif 000003
【図３】
0004999628.tif 000004
【図４】
0004999628.tif 000005
【図５】
0004999628.tif 000006
【図６】
0004999628.tif 000007
【図７】
0004999628.tif 000008
【図８】
0004999628.tif 000009
【図９】
0004999628.tif 000010
【図１０】
0004999628.tif 000011
【図１１】
0004999628.tif 000012